(57)【要約】【課題】  原稿カバーを十分に開しない状態でも、原稿台上の原稿サイズを正確に認識することを可能にする。【解決手段】    原稿を載置する原稿台２、原稿カバー３、原稿カバーの開閉を検知するカバー開閉検知手段５、６、原稿１００を光学的に読み取る光学ユニット１０を有する画像形成装置の原稿サイズ検知装置であり、発光部７ａ、受光部７ｂを有する原稿カバー側センサと、発光部８ａと受光部８ｂとが設けられた光学ユニット側センサ８を備える。カバー開閉検知手段５、６によって原稿カバー３が所定開角度以上に開かれたことを検知した後、光学ユニット側センサ８で原稿サイズを検知し、カバー開閉検知手段５、６によって原稿カバー３が所定開角度以上に開かれたことを検知することなく閉じられたことを検知した後、原稿カバー側センサ７によって原稿サイズを検知する。【選択図】  図１
2005321536.tif 000002
【特許請求の範囲】
【請求項１】
原稿を載置する原稿台と、該原稿台上の原稿を覆う開閉可能な原稿カバーと、該原稿カバーの開閉を検知するカバー開閉検知手段と、前記原稿台上の原稿を露光して前記原稿を光学的に読み取る光学ユニットとを有する画像形成装置の原稿サイズ検知装置であって、前記原稿カバー側に発光部が設けられるとともに原稿カバー側または光学ユニット側に受光部が設けられた原稿サイズ検知用の原稿カバー側センサと、光学ユニット側に発光部と受光部とが設けられた原稿サイズ検知用の光学ユニット側センサとを備え、
前記カバー開閉検知手段によって原稿カバーが所定開角度以上に開かれたことを検知した後、光学ユニット側センサによって原稿台上の原稿サイズを検知し、
前記カバー開閉検知手段によって原稿カバーが所定開角度以上に開かれたことを検知することなく原稿カバーが閉じられたことを検知した後、原稿カバー側センサによって原稿台上の原稿サイズを検知することを特徴とする原稿サイズ検知装置。
【請求項２】
原稿を載置する原稿台と、前記原稿台上の原稿を覆う開閉可能な原稿カバーと、該原稿カバーの開閉を検知するカバー開閉検知手段と、前記原稿台上の原稿を露光して前記原稿を光学的に読み取る光学ユニットとを有する画像形成装置の原稿サイズ検知装置であって、前記原稿カバー側に発光部が設けられるとともに原稿カバー側または光学ユニット側に受光部が設けられた原稿サイズ検知用の原稿カバー側センサと、光学ユニット側に発光部と受光部とが設けられた原稿サイズ検知用の光学ユニット側センサとを備え、
コピーボタンが押されるととともに前記カバー開閉検知手段によって原稿カバーが所定開角度以上に開かれていることが検知されると、光学ユニット側センサによって原稿台上の原稿サイズを検知し、
コピーボタンが押されるととともに原稿カバーが閉じられたことが検知されると、原稿カバー側センサ及び光学ユニット側センサの両方を用いてサイズ検知を行うことを特徴とする原稿サイズ検知装置。
【請求項３】
原稿を載置する原稿台と、前記原稿台上の原稿を覆う開閉可能な原稿カバーと、該原稿カバーの閉を検知するカバー閉検知手段と、前記原稿台上の原稿を露光して前記原稿を光学的に読み取る光学ユニットとを有する画像形成装置の原稿サイズ検知装置であって、前記原稿カバー側に発光部が設けられ、前記光学ユニット側に前記原稿カバー側の発光部による発光を受光できる受光部が設けられており、
前記カバー閉検知手段によって原稿カバーが閉じられていることを検知すると、原稿カバー側の発光部のみによる発光と、光学ユニット側の受光部による受光によって、原稿サイズを検出することを特徴とする原稿サイズ検知装置。
【請求項４】
前記光学ユニット側に、前記光学ユニット側の受光部と対になる発光部が設けられていることを特徴とする請求項３記載の原稿サイズ検知装置。
【請求項５】
前記原稿カバー側に、前記原稿カバー側の発光部と対になる受光部が設けられており、前記カバー閉検知手段によって原稿カバーが閉じられていることを検知すると、原稿カバー側の発光部のみによる発光と、原稿カバー側の受光部による受光および光学ユニット側の受光部による受光の両方によって、原稿サイズを検出することを特徴とする請求項３または４に記載の原稿サイズ検知装置。
【請求項６】
原稿を載置する原稿台と、前記原稿台上の原稿を覆う開閉可能な原稿カバーと、該原稿カバーの閉を検知するカバー閉検知手段と、前記原稿台上の原稿を露光して前記原稿を光学的に読み取る光学ユニットとを有する画像形成装置の原稿サイズ検知装置であって、前記光学ユニット側に発光部が設けられ、前記原稿カバー側に前記光学ユニット側の発光部による発光を受光できる受光部とが設けられており、
前記カバー閉検知手段によって原稿カバーが閉じられていることを検知すると、光学ユニット側の発光部のみによる発光と、原稿カバー側の受光部による受光によって、原稿サイズを検出することを特徴とする原稿サイズ検知装置。
【請求項７】
前記光学ユニット側に、前記光学ユニット側の発光部と対になる受光部が設けられており、前記カバー閉検知手段によって原稿カバーが閉じられていることを検知すると、光学ユニット側の発光部のみによる発光と、光学ユニット側の受光部による受光および原稿カバー側の受光部による受光の両方によって、原稿サイズを検出することを特徴とする請求項６記載の原稿サイズ検知装置。
【請求項８】
原稿カバーの開を検知するカバー開検知手段を備えており、該カバー開検知手段によって原稿カバーが所定開角度以上に開かれたことを検知すると光学ユニット側の発光部と受光部とからなる光学ユニット側センサによって原稿台上の原稿サイズを検知することを特徴とする請求項４、５または７のいずれかに記載の原稿サイズ検知装置。
【請求項９】
前記光学ユニット側には、前記光学ユニットにおける、原稿を露光する露光ランプを発光部とし、露光された原稿の情報を光学的に読み取る読み取り部を受光部として含むことを特徴とする請求項１〜８のいずれかに記載の原稿サイズ検知装置。
【発明の詳細な説明】
【技術分野】
【０００１】
本発明は、複写機、ファクシミリ、複合機などの画像形成装置に備える原稿サイズ検知装置に関するものである。
【背景技術】
【０００２】
最近の画像形成装置では、原稿台に置かれた原稿のサイズを自動的に検知して、そのサイズに適したサイズの転写紙を選択可能にする原稿サイズ検知装置を備えている。
従来の原稿サイズ検知装置では、原稿台ガラス上の原稿サイズを原稿カバーが閉から開へ移行する時のある角度で次の方式で検出するものが一般的である。
（１）原稿台上の原稿を露光して原稿を光学的に読み取る光学ユニット内に紙サイズごとの識別が可能な場所（主走査方向及び副走査方向）に複数の反射型センサを配置して、原稿を検出する。
（２）主走査方向は露光ランプの点灯による原稿からの反射光を検知して原稿の大きさを検知し、副走査方向は紙サイズごとの識別が可能な場所に設置された複数の反射型センサで検知する。
（３）原稿カバーの閉後時に、露光ランプを点灯させて、１走査を実施して読み取り画像のエッジ検出によりサイズを認識する（特許文献１参照）。
【特許文献１】特開平１１−１２５８７２号公報
【発明の開示】
【発明が解決しようとする課題】
【０００３】
しかし、従来の原稿サイズ検知装置では、以下のような問題点がある。
すなわち、
（１）原稿カバーを十分開かないと、原稿と原稿カバーの識別ができないため、サイズ検知ができない。
（２）原稿に高濃度部分があると検知性能が低下する。
（３）露光ランプの点灯によるサイズ検知の場合、原稿カバー閉時に不意にランプが点灯し、ユーザーがまぶしいと感じる。
また、露光ランプによる１走査を実施して検知する場合、
（１）自動検知のため、余計なスキャナ動作を実施する必要があり、時間がかかる。
（２）原稿の色がカバー裏面の色と近い場合、検知性能が低下する。
【０００４】
本発明は、上記事情を背景としてなされたものであり、原稿カバーを閉じた状態での原稿サイズ検知を確実に行うことを可能にする原稿サイズ検知装置を提供することを目的とする。
【課題を解決するための手段】
【０００５】
すなわち、本発明の原稿サイズ検知装置のうち、請求項１記載の発明は、原稿を載置する原稿台と、該原稿台上の原稿を覆う開閉可能な原稿カバーと、該原稿カバーの開閉を検知するカバー開閉検知手段と、前記原稿台上の原稿を露光して前記原稿を光学的に読み取る光学ユニットとを有する画像形成装置の原稿サイズ検知装置であって、前記原稿カバー側に発光部が設けられるとともに原稿カバー側または光学ユニット側に受光部が設けられた原稿サイズ検知用の原稿カバー側センサと、光学ユニット側に発光部と受光部とが設けられた原稿サイズ検知用の光学ユニット側センサとを備え、
前記カバー開閉検知手段によって原稿カバーが所定開角度以上に開かれたことを検知した後、光学ユニット側センサによって原稿台上の原稿サイズを検知し、
前記カバー開閉検知手段によって原稿カバーが所定開角度以上に開かれたことを検知することなく原稿カバーが閉じられたことを検知した後、原稿カバー側センサによって原稿台上の原稿サイズを検知することを特徴とする。
【０００６】
すなわち、請求項１記載の原稿サイズ検知装置によれば、原稿カバーを所定開角度以上に開いた場合には、光学ユニット側のセンサによって反射型の検知がなされる。原稿が位置する照射位置では光が反射して受光部で受光され、原稿が位置しない照射位置では光が透過して受光部での受光がなされない。この受光部での受光の有無によって原稿サイズを判定することができる。なお、所定開角度は、検知精度などを考慮して適宜定めることができ、本発明としては特定の角度に限定されるものではない。
【０００７】
なお、光学ユニット側のセンサとしては、反射型のセンサ素子を主走査方向および副走査方向に複数配置してサイズ毎の検知を可能にしてもよく、また、ライン型のセンサを組み合わせてもよい。さらには、原稿を露光する露光ランプを発光部として、原稿情報を光学的に読み取るＣＣＤなどの読み取り部を受光部とするものであってもよい。この光学ユニットを主走査方向のサイズ検知に利用し、副走査方向に配置した複数の反射型センサで副走査方向のサイズ検知を行うことも可能である。
【０００８】
一方、上記のように原稿カバーが十分に開かれずに閉じられた場合には、原稿サイズ側センサによって反射型または透過型の検知がなされる。すなわち、反射型では、原稿が位置する照射位置では光が反射して原稿カバー側にある受光部で受光され、原稿が位置しない照射位置では光が透過して受光部での受光がなされない。この受光部での受光の有無によって原稿サイズを判定することができる。また、透過型では、原稿が位置する照射位置では光が反射して光学ユニット側にある受光部では受光がなされず、原稿が位置しない照射位置では光が透過して受光部で受光される。この受光部での受光の有無によって原稿サイズを判定することができる。
原稿カバー側においても、センサを紙サイズごとの識別が可能な場所に複数配置することで原稿サイズの検知が可能になる。また、ライン型のセンサを採用することも可能である。
【０００９】
請求項２記載の原稿サイズ検知装置の発明は、原稿を載置する原稿台と、前記原稿台上の原稿を覆う開閉可能な原稿カバーと、該原稿カバーの開閉を検知するカバー開閉検知手段と、前記原稿台上の原稿を露光して前記原稿を光学的に読み取る光学ユニットとを有する画像形成装置の原稿サイズ検知装置であって、前記原稿カバー側に発光部が設けられるとともに原稿カバー側または光学ユニット側に受光部が設けられた原稿サイズ検知用の原稿カバー側センサと、光学ユニット側に発光部と受光部とが設けられた原稿サイズ検知用の光学ユニット側センサとを備え、
コピーボタンが押されるととともに前記カバー開閉検知手段によって原稿カバーが所定開角度以上に開かれていることが検知されると、光学ユニット側センサによって原稿台上の原稿サイズを検知し、
コピーボタンが押されるととともに原稿カバーが閉じられたことが検知されると、原稿カバー側センサ及び光学ユニット側センサの両方を用いてサイズ検知を行うことを特徴とする。
【００１０】
請求項２記載の発明によれば、原稿カバーが十分に開かれている状態でコピーボタンが押されると、光学ユニット側のセンサによって反射型の検知がなされ、原稿サイズが検知される。一方、原稿カバーが閉じられている状態でコピーボタンが押されると、原稿カバー側センサと光学ユニット側センサの両方の情報を用いてサイズ検知がなされる。このため、一方側のセンサを用いた場合に比べて誤差を小さくすることができる。
なお、光学ユニット側センサには、前記したように、複数の位置に配置した反射型センサや、光学ユニットの露光ランプおよび読み取り部を用いることができる。特に光学ユニットを用いれば、コピー時の原稿読み取りを利用して原稿サイズの検知を行うこともでき、主走査方向に設置するセンサを省略することができる。
【００１１】
請求項３記載の原稿サイズ検知装置の発明は、原稿を載置する原稿台と、前記原稿台上の原稿を覆う開閉可能な原稿カバーと、該原稿カバーの閉を検知するカバー閉検知手段と、前記原稿台上の原稿を露光して前記原稿を光学的に読み取る光学ユニットとを有する画像形成装置の原稿サイズ検知装置であって、前記原稿カバー側に発光部が設けられ、前記光学ユニット側に前記原稿カバー側の発光部による発光を受光できる受光部が設けられており、
前記カバー閉検知手段によって原稿カバーが閉じられていることを検知すると、原稿カバー側の発光部のみによる発光と、光学ユニット側の受光部による受光によって、原稿サイズを検出することを特徴とする。
【００１２】
請求項４記載の原稿サイズ検知装置の発明は、請求項３記載の発明において、前記光学ユニット側に、前記光学ユニット側の受光部と対になる発光部が設けられていることを特徴とする。
【００１３】
次に、請求項５記載の原稿サイズ検知装置の発明は、請求項３または４に記載の発明において、前記原稿カバー側に、前記原稿カバー側の発光部と対になる受光部が設けられており、前記カバー閉検知手段によって原稿カバーが閉じられていることを検知すると、原稿カバー側の発光部のみによる発光と、原稿カバー側の受光部による受光および光学ユニット側の受光部による受光の両方によって、原稿サイズを検出することを特徴とする。
【００１４】
請求項６記載の原稿サイズ検知装置の発明は、原稿を載置する原稿台と、前記原稿台上の原稿を覆う開閉可能な原稿カバーと、該原稿カバーの閉を検知するカバー閉検知手段と、前記原稿台上の原稿を露光して前記原稿を光学的に読み取る光学ユニットとを有する画像形成装置の原稿サイズ検知装置であって、前記光学ユニット側に発光部が設けられ、前記原稿カバー側に前記光学ユニット側の発光部による発光を受光できる受光部とが設けられており、
前記カバー閉検知手段によって原稿カバーが閉じられていることを検知すると、光学ユニット側の発光部のみによる発光と、原稿カバー側の受光部による受光によって、原稿サイズを検出することを特徴とする。
【００１５】
請求項７記載の原稿サイズ検知装置の発明は、請求項６記載の発明において、前記光学ユニット側に、前記光学ユニット側の発光部と対になる受光部が設けられており、前記カバー閉検知手段によって原稿カバーが閉じられていることを検知すると、光学ユニット側の発光部のみによる発光と、光学ユニット側の受光部による受光および原稿カバー側の受光部による受光の両方によって、原稿サイズを検出することを特徴とする。
【００１６】
請求項３または請求項６記載の原稿サイズ検知装置の発明によれば、原稿が閉じられた際に、原稿カバー側と光学ユニット側のそれぞれの発光部と受光部とを対にして発光、受光が行われ、透過型の検知がなされる。原稿カバー側では、センサとして少なくとも発光部と受光部のいずれかを備えていればよく、センサの設置数を減らしてコストを低減することができる。原稿カバー側と光学ユニット側とで対となる発光部と受光部とは、位置を変えて複数を主走査方向と副走査方向に配置することで原稿サイズを確実に検知することができる。
また、この構成の原稿サイズ検知装置では、原稿カバーが十分に開かれた際に光学ユニット側のセンサによって原稿サイズの検知を行うことができる。
【００１７】
請求項５または請求項７記載の原稿サイズ検知装置の発明によれば、原稿カバー側の発光部または光学ユニット側の発光部で発光した光を同じ側の受光部で受光するとともに他方側の受光部でも受光するようにしたので、反射型と透過型の検知が同時になされ、検知精度が大幅に向上する。
【００１８】
請求項８記載の原稿サイズ検知装置の発明は、請求項４、５または７のいずれかに記載の発明において、原稿カバーの開を検知するカバー開検知手段を備えており、該カバー開検知手段によって原稿カバーが所定開角度以上に開かれたことを検知すると光学ユニット側の発光部と受光部とからなる光学ユニット側センサによって原稿台上の原稿サイズを検知することを特徴とする。
【００１９】
請求項９記載の原稿サイズ検知装置の発明は、請求項１〜８のいずれかに記載の発明において、前記光学ユニット側には、前記光学ユニットにおける、原稿を露光する露光ランプを発光部とし、露光された原稿の情報を光学的に読み取る読み取り部を受光部として含むことを特徴とする。
【発明の効果】
【００２０】
以上説明したように本発明の原稿サイズ検知装置によれば、原稿カバーを十分開くことが困難な場合でも、原稿を閉じた状態で原稿のサイズ検知を確実に実施できる。また、原稿カバー閉と同時に検知可能なため、走査などの余計な時間を必要としない。
さらに原稿側・光学側のセンサの出力の組み合わせでサイズ検知を行うものでは、誤検知が少なくなる効果がある。また、原稿カバーを閉めかける際に露光ランプが点灯して行う検知動作をなくすことができ、その場合、ユーザーがまぶしいと感じることがなくなる。
【発明を実施するための最良の形態】
【００２１】
（実施形態１）
以下に、本発明の一実施形態を添付図に基づいて説明する。
画像形成装置１は、原稿１００を載置する原稿台２を有しており、該原稿台２は光が通過できるように通常は透明なガラス製からなる。該原稿台２上には、原稿台２全体を覆うことができる原稿カバー３が一側縁を回転部分にして取り付け部４に開閉可能に取り付けられている。前記取り付け部４には、原稿カバーが所定開角度にまで開けられたことを検知可能なカバー開検知手段５が設けられている。カバー開検知手段５は、センサやスイッチなどにより構成することができ、本発明としては特定のものに限定されない。また、所定開角度は、後述する光学ユニット側センサで原稿サイズを的確に検知できる角度に定めることができる。この角度があまりに小さいと、原稿カバー裏面による反射光の影響が現れて原稿サイズの検知が良好に行えなくなる。
【００２２】
また、原稿台２に近接した位置には、前記原稿カバー３が原稿台２上に閉じられた際に原稿カバー３の閉を検知するカバー閉検知手段６が設けられている。該カバー閉検知手段６は、センサやスイッチなどにより構成することができ、本発明としては特定のものに限定されない。該カバー閉検知手段６は、原稿カバー３が閉じられたことを検知するとともに、原稿カバー３が開けられた際には、閉状態が解除されることによりカバー開を検知することもできる。上記したカバー開検知手段５とカバー閉検知手段６とによって本発明のカバー開閉手段が構成されている。
【００２３】
さらに、原稿カバー３には、発光部７ａと受光部７ｂとが対になった原稿カバー側センサ７が複数設けられている（図では一つのみ図示）。各原稿カバー側センサ７は、図２に示すように、サイズの異なる原稿に対応するように、主走査方向および副走査方向で位置を異にして配置されている。原稿カバー側センサ７では、発光部７ａから原稿台２側に向けて光を照射させることができ、照射先に原稿１００が位置している場合には、原稿面で反射された光が受光部７ｂに入射されるように配置されている。
【００２４】
一方、光学ユニット１０側では、発光部８ａと受光部８ｂとが対になった原稿カバー側センサ８が複数設けられている（図では一つのみ図示）。各光学ユニット側センサ８は、原稿カバー側センサ７と同様に、サイズの異なる原稿に対応するように、主走査方向および副走査方向で位置を異にして配置される。光学ユニット側センサ８では、発光部８ａから原稿台２側に向けて光を照射させることができ、照射先に原稿１００が位置している場合には、原稿面で反射された光が受光部８ｂに入射されるように配置されている。
上記したカバー開閉手段、原稿カバー側センサ７、光学ユニット側センサ８を主要な構成として本発明の画像サイズ検知装置が構成されている。
【００２５】
また、画像形成装置１では、原稿台２に置かれた原稿を光学的に読み取るための光学ユニット１０を備えている。光学ユニット１０は、主要な構成として露光ランプ１１とＣＣＤなどで構成される読み取り部１７とを有している。露光ランプ１１は、原稿台２の主走査方向に沿った長尺な形状を有しており、原稿台２の下方において、原稿からの反射光が入射される第１ミラー１２とともに走査ユニット１３に取り付けられており、走査ユニット１３によって副走査方向に移動可能となっている。第１ミラー１２による偏向方向には第２ミラー１４、第３ミラー１５が配置され、第３ミラー１５による偏向方向には、レンズ１６を介して読み取り部１７が配置されている。
【００２６】
上記光学ユニット１０では、図示しないコピーボタンの押し下げなどによってコピーが開始され、露光ランプ１１を点灯して原稿を露光させる。すると、原稿台２からの反射光に主走査方向の原稿情報が含まれたものとなり、第１ミラー１３に入射される。第１ミラー１３に入射された光は、該第１ミラー１３、第２ミラー１４、第３ミラー１５、レンズ１６を経て読み取り部１７に入射されて原稿台２上の情報が原稿情報とともに光学的に読み取られる。これらの情報はアナログ信号化され、Ａ／Ｄ変換、信号処理などを経て画像形成装置１の制御ＣＰＵ（図示しない）やＤＲＡＭ制御ＩＣを介するなどして画像データとして画像メモリに格納される。制御ＣＰＵでは、画像メモリから画像データを読み出して書き込み処理を行い、次いで図示しない画像形成部で画像形成を行う。この際には、原稿サイズに適したサイズの転写紙を自動的に選択したり、ユーザが転写紙サイズを指定する。選択または指定されたサイズの転写紙は画像形成装置に備える給紙装置などから給紙される。給紙装置では多くの場合、複数のサイズの転写紙が格納されており、所望のサイズの転写紙が給紙され、前記で形成された画像を転写して印刷を実行する。
【００２７】
図３は、原稿のサイズ検知を実行するためのブロック図を示すものである。
制御部２０は、上記制御ＣＰＵおよびこれを制御するプログラムによって構成することができる。制御部２０には、上記したカバー開検知手段５、カバー閉検知手段６が接続され、それぞれの検知手段による検知結果が入力されるようになっている。また、制御部２０には、原稿カバー側センサ７、光学ユニット側センサ８が接続されており、これらセンサ７、８の発光制御が制御部２０によって行われているとともに、受光結果がデータとして入力されている。また、制御部２０には、タッチパネルなどからなる表示操作手段２１が接続されている。表示操作手段２１は、画像形成装置での各種情報を表示したり、画像形成装置の設定や操作のための入力が可能になっており、コピー開始を指示するためのコピーボタンも含まれている。
さらに制御部２０には、給紙装置などを含む給紙手段２２が接続されており、制御部２０による給紙手段２２の制御や給紙手段における収納転写紙サイズの情報などが入力されている。また、制御部２０には、メモリ２３が接続されている。該メモリ２３は不揮発性であってＲＯＭやフラッシュメモリなどによって構成され、少なくとも前記センサ７、８による検知結果と原稿サイズとの関係がデータとして格納されている。
【００２８】
次に、上記画像サイズ検知装置によるサイズ検知の動作について図４のフローチャートを参照しつつ説明する。
サイズ検知の開始においては、原稿カバー３が開かれているか否かが判定される（ステップａ１）。この判定では、カバー開検知手段５およびカバー閉検知手段６の検知結果が制御部２０に送出され、該検知結果に基づいて原稿カバー３の開が判定される。すなわち、カバー開検知手段５の検知結果に拘わらず、カバー閉検知手段６においてカバー閉が否であるという検知結果が得られると、上記ステップでは原稿カバー３が開かれているという判定がなされ、次ステップａ２に移行する。一方、カバー閉検知手段６で閉であることが検知されると、開検知がなされるのを待機する。
【００２９】
ステップａ２では、原稿カバー３が所定開角度以上に開かれているか否かが判定される。この判定では、カバー閉検知手段６の検知結果が制御部２０に送出され、該検知結果に基づいて原稿カバー３が所定開角度以上に開かれているか否かが判定される。すなわち、カバー開検知手段５の検知結果でカバー開が検知されると、原稿カバー３は所定開角度以上で開かれていることになり（図１（ａ）の状態）、次ステップａ３に移行する。ステップａ３では、光学ユニット側センサ８によって原稿サイズの検知がなされる。すなわち、制御部２０では、光学ユニット側センサ８を制御して発光部８ａにて発光を行わせる。発光部８ａから照射された光は照射方向において、原稿台２に置かれた原稿１００が位置していると、原稿面で反射して受光部８ｂで受光される、一方、照射方向に原稿１００が位置していない場合は、光はそのまま進行し、対応する受光部８ｂでは照射光の受光はなされない。これら受光部８ｂの受光結果は、制御部２０に送出される。制御部では、各受光部８ｂの位置が認識されており、上記受光結果とともに、前記メモリを参照し、受光結果に相応する原稿サイズの判定がなされる。
【００３０】
一方、ステップａ２において、原稿カバー３が所定開角度以上に開かれていることが検知されない場合には、原稿カバー３が閉められているか否かの判定がなされる。この判定では、カバー閉検知手段６の検知結果が制御部２０に送出されて閉判定がなされる。カバー閉検知手段６の検知結果が閉とはならない場合、ステップａ２に移行して原稿カバー３の開閉状態の判定が繰り返される。ステップａ３０において、カバー閉検知手段６で原稿カバー３の閉（図１（ｂ）の状態）が検知されると、次ステップａ３１において原稿カバー側センサ７を用いて原稿のサイズ検知がなされる。すなわち、制御部２０では、原稿カバー側センサ７を制御して発光部７ａにて発光を行わせる。発光部７ａから照射された光は照射方向において、原稿台２に置かれた原稿１００が位置していると、原稿で反射して受光部７ｂで受光される、照射方向に原稿１００が位置していない場合は、光はそのまま進行し、対応する受光部７ｂでは照射光の受光はなされない。これら受光部７ｂの受光結果は、制御部２０に送出される。制御部２０では、各受光部７ｂの位置が認識されており、上記受光結果とともに、前記メモリを参照し、受光結果に相応する原稿サイズの判定がなされる。
【００３１】
以上、説明したように、この実施形態では、原稿カバーが十分に開けられた場合には、光学ユニット側のセンサによって原稿のサイズを的確に検知し、一方、原稿カバーが十分に開けられなかった場合にも原稿カバーが閉められれば原稿カバー側のセンサによって原稿のサイズを的確に検知することを可能にしたものである。
原稿サイズの検知後は、前記した表示操作部２１を制御して検知した原稿のサイズを表示してもよく、また、給紙手段２２を制御して給紙される転写紙サイズを自動的に選択してもよい。
【００３２】
なお、上記実施形態では、光学ユニット側で複数の反射型センサを主走査方向および副走査方向に設置するものとしたが、露光ランプ１１を発光部とし、読み取り部１７を受光部としてセンサに含むものであってもよい。この場合、露光ランプ１１において主走査方向にサイズ検知を行い、図５に示すように副走査方向に反射型センサ８を複数設置する。この形態では、主走査方向への反射型センサの設置を省略できるので、センサの設置数を少なくできる。
【００３３】
（実施形態２）
上記実施形態１では、原稿カバーの開閉動作に伴って原稿サイズの検知を行うものとしたが、コピーボタンの押し下げに伴って原稿サイズの検知動作を行うようにしてもよい。この実施形態は、コピーボタンの押し下げ動作に伴い、かつ原稿カバーの開閉状態に従って原稿サイズの検知動作を行うようにしたものである。
なお、画像形成装置および原稿サイズ検知装置の機械的構造は、上記実施形態と同様であるので、その説明は省略する。
【００３４】
この実施形態２における原稿サイズの検知動作の手順を図６のフローチャートに基づいて説明する。
サイズ検知の開始においては、コピーボタンが押し下げられた否かの判定がなされる（ステップｂ１）。コピーボタンは、画像形成装置の適宜の箇所に設けられており、これを操作者が押し下げると、前記した制御部２０において押し下げが検知され、サイズ検知の処理が開始される。
ここでコピーボタンの押し下げが検知されると、次ステップｂ２に移行する。一方、押し下げが検知されない場合には、押し下げを待機する。
ステップｂ２では、原稿カバー３が開かれているか否かが判定される。この判定では、前記実施形態１と同様にカバー開検知手段５およびカバー閉検知手段６の検知結果が利用される。このステップでは原稿カバー３が開かれているという判定がなされると、次ステップｂ３に移行する。一方、原稿カバー３が開かれていることが検知されない場合、すなわちカバー閉検知手段６で閉であることが検知されると、開検知がなされるまで待機する。
【００３５】
ステップｂ３では、原稿カバー３が所定開角度以上に開かれているか否かが判定される。この判定においても実施形態１と同様にカバー開検知手段５およびカバー閉検知手段６の検知結果が利用される。原稿カバー３が所定開角度以上で開かれていることが検知されると、次ステップｂ４に移行する。
【００３６】
ステップｂ４では、光学ユニット側センサ８によって原稿サイズの検知がなされる。光学ユニット側センサ８には、露光ランプ１１および読み取り部１７が含まれており、該露光ランプを発光部、読み取り部を受光部として主走査方向のサイズ検知がなされる。また、副走査方向のサイズ検知は、副走査方向に複数配された光学ユニット側センサによって行われる。なお、露光ランプの点灯は、原稿の読み取りに伴って行えばよく、余分な走査動作などを必要とすることなく迅速にサイズ検知を行うことができる。
サイズ判定は、前記実施形態１と同様にして制御部２０において行われる。
【００３７】
一方、ステップｂ３において、原稿カバー３が所定開角度以上に開かれていることが検知されない場合には、原稿カバー３が閉められているか否かの判定が実施形態１と同様にカバー閉検知手段６の検知結果を利用して行われる（ステップｂ４０）。
このステップｂ４０で、原稿カバーが閉められているとの判定がなされると次ステップｂ４１に移行する。カバー閉検知手段６の検知結果が閉とはならない場合は、ステップｂ３に移行して原稿カバー３の開閉状態の判定が繰り返される。
ステップｂ４１では、原稿カバー側センサ７と光学ユニット側センサ８の両方を用いて原稿サイズの検知がなされる。このように、原稿カバー側センサ７と光学ユニット側センサ８の両方を用いることで原稿サイズの検知精度が向上する。光学ユニット側センサに含まれる露光ランプ１１の点灯は、原稿の読み取りに伴って行えばよい。なお、原稿カバー側センサ７と光学ユニット側センサ８で相反する検知結果得られた場合に、予めいずれを優先するかなどを定めておくことによってサイズの検知を問題なく行うことができる。
【００３８】
（実施形態３）
上記実施形態１、２では、原稿カバー側と光学ユニット側にそれぞれ発光部と受光部とを有するセンサを設置したものについて説明したが、原稿カバー側と光学ユニット側とで発光部または受光部を共用することもできる。
実施形態３では、図７に示すように、光学ユニット側に、前記実施形態１、２と同様に発光部８ａと、受光部８ｂとからなる光学ユニット側センサ８を設ける。一方、原稿カバー側には、発光部７ａのみを配置する。この発光部７ａは、発光された光が原稿台２を透過して、光学ユニット側センサ８の受光部８ｂで受光可能な位置に設けられている。
【００３９】
この実施形態では、前記実施形態と同様に原稿カバー２が閉じられていることが検知されると、原稿カバー３側の発光部７ａが発光し、光学ユニット側センサ８の受光部８ｂで受光がなされる。この際には、光学ユニット側センサ８の発光部８ａは発光させない。
発光部７ａの照射方向に原稿１００が位置していると、光は反射して受光部８ｂでは受光がなされない。一方、発光部７ａの照射方向に原稿１００が位置していない場合は、光は原稿台２を透過して受光部８ｂで受光がなされる。各受光部８ｂの受光結果は制御部２０に入力されており、制御部２０では、各受光部８ｂの位置情報と受光結果に基づいて原稿サイズの判定がなされる。
【００４０】
なお、原稿カバー３が十分に開かれた場合には、前記実施形態と同様に、光学ユニット側センサ８の発光部８ａ、受光部８ｂを用いて原稿サイズの検知を行うことができる。
また、原稿カバーが開かれている場合の検知を行う必要がない場合には、光学ユニット側に発光部８ａを設けないで、受光部８ｂのみを設置するようにしてもよい。
上記実施形態３によれば、原稿カバー３側には、発光部７ａのみを設置して原稿サイズの検知を行うことができるので、センサ設置によるコストアップを極力小さくすることができる。
【００４１】
さらに、この実施形態では、原稿カバー３側には発光部７ａのみがあるものとして説明したが、本発明では、図８に示すように、原稿カバー３側に発光部７ａと対になる受光部７ｂを設けることもできる。この形態によれば、発光部７ａから発せられた光を光学ユニット側の受光部８ｂで受光するとともに原稿カバー３側の受光部７ｂでも受光することができ、反射型および透過型の検知を同時に行って検知精度を向上させることができる。
【００４２】
（実施形態４）
次に、この実施形態４では、図９に示すように、光学ユニット側に、前記実施形態１、２と同様に発光部８ａと受光部８ｂとからなる光学ユニット側センサ８を設ける。一方、原稿カバー３側には、受光部７ｂのみを配置する。この受光部７ｂは、光学ユニット側の発光部８ａで発光された光が原稿台２を透過して、受光可能な位置に設けられている。
この実施形態でも、前記実施形態１、２と同様に原稿カバー２が閉じられていることが検知されると、制御部２０の制御によって光学ユニット側センサ８の発光部８ａが発光し、原稿カバー側センサ７の受光部７ｂで受光がなされる。
【００４３】
発光部８ａの照射方向に原稿１００が位置している場合、光は原稿で反射して受光部７ｂでは受光がなされない。一方、発光部８ａの照射方向に原稿１００が位置していない場合は、光は原稿台２を透過して受光部７ｂで受光がなされる。各受光部７ｂの受光結果は制御部２０に入力されており、制御部２０では、各受光部７ｂの位置情報と受光結果に基づいて原稿サイズの判定がなされる。
上記実施形態によれば、原稿カバー３側には、受光部のみを設置して原稿サイズの検知を行うことができるので、センサ設置にコストアップを極力小さくすることができる。
なお、原稿カバー３が十分に開かれている場合には、前記実施形態１、２と同様に、光学ユニット側センサ８の発光部８ａ、受光部８ｂを用いて原稿サイズの検知を行うことができる。
また、原稿カバーが開かれている場合の検知を行う必要がない場合には、光学ユニット側に受光部８ｂを設けないで、発光部８ａのみを設置するようにしてもよい。
【００４４】
また他の形態として、図１０に示すように、上記検知に際し、原稿カバー側センサ７の受光部７ｂで検知を行うとともに、光学ユニット側センサ８の受光部８ｂで受光動作を行うようにしてもよい。この形態では、受光部７ｂでの受光結果に加えて受光部８ｂの受光結果を利用できるので、反射型および透過型の検知を同時に行って原稿サイズ検知精度を向上させることができる。
【００４５】
以上、本発明について上記各実施形態に従って説明したが、本発明は上記実施形態に限定されるものではなく、本発明の範囲内において変更が可能である。
【図面の簡単な説明】
【００４６】
【図１】本発明の一実施形態における原稿サイズ検知装置を含む画像形成装置の概略図であり、（ａ）図は、原稿カバーを十分に開いた状態、（ｂ）図は、原稿カバーを閉めた状態を示す。
【図２】同じく、原稿台に対する原稿カバー側センサの配置位置を示す概略図である。
【図３】同じく、原稿サイズ検知を実行するためのブロック図である。
【図４】同じく、原稿サイズ検知を行う手順を示すフローチャートである。
【図５】同じく、原稿台に対する光学ユニット側センサの配置位置の変更例を示す概略図である。
【図６】本発明の他の実施形態における原稿サイズ検知を行う手順を示すフローチャートである。
【図７】さらに他の実施形態における原稿サイズ検知装置を含む画像形成装置の概略図である。
【図８】さらに他の実施形態における原稿サイズ検知装置を含む画像形成装置の概略図である。
【図９】さらに他の実施形態における原稿サイズ検知装置を含む画像形成装置の概略図である。
【図１０】さらに他の実施形態における原稿サイズ検知装置を含む画像形成装置の概略図である。
【符号の説明】
【００４７】
１    画像形成装置
２    原稿台
３    原稿カバー
５    カバー開検知手段
６    カバー閉検知手段
７    原稿カバー側センサ
７ａ  発光部
７ｂ  受光部
８    光学ユニット側センサ
８ａ  発光部
８ｂ  受光部
１０    光学ユニット
１１    露光ランプ
１７    読み取り部
２０    制御部
２１    表示操作部
２２    給紙手段
１００    原稿
【図１】
2005321536.tif 000003
【図２】
2005321536.tif 000004
【図３】
2005321536.tif 000005
【図４】
2005321536.tif 000006
【図５】
2005321536.tif 000007
【図６】
2005321536.tif 000008
【図７】
2005321536.tif 000009
【図８】
2005321536.tif 000010
【図９】
2005321536.tif 000011
【図１０】
2005321536.tif 000012